(57)【特許請求の範囲】
【請求項１】
利用者情報保存用の記録媒体が着脱可能な情報通信端末において外部から取得したコンテンツデータを処理する情報通信端末におけるデータ処理方法であって、
外部のサーバからコンテンツデータをダウンロードしたとき、該コンテンツデータを該利用者情報保存用の記録媒体から読み出した利用者情報と関連付けて該情報通信端末の内部メモリに保存するステップと、
該内部メモリに保存されているコンテンツデータを該情報通信端末に装着された外部記憶装置へ移動する指示操作があったとき、該内部メモリから読み出した該コンテンツデータに関連付けられた利用者情報と、該利用者情報保存用の記録媒体から読み出した利用者情報とを比較し、両利用者情報が一致している場合は、暗号鍵管理サーバからダウンロードした利用者固有鍵情報を用いて該コンテンツデータを該利用者情報とともに暗号化して該外部記憶装置に移動し、両利用者情報が一致していない場合は、該コンテンツデータの該外部記憶装置への移動を禁止するステップと、
該外部記憶装置に保存されているコンテンツデータを該内部メモリへ移動する指示操作があったとき、該暗号鍵管理サーバからダウンロードした利用者固有鍵情報を用いて、該外部記憶装置から読み出した暗号化済みのコンテンツデータを該利用者情報とともに復号化し、復号化できた場合は、復号化済みのコンテンツデータを該利用者情報と関連付けて該内部メモリに移動し、復号化できなかった場合は、該コンテンツデータの該内部メモリへの移動を禁止するステップと、
該内部メモリに保存されている該コンテンツデータを利用する指示操作があったとき、該内部メモリから読み出した該コンテンツデータに関連付けられた利用者情報と、該利用者情報保存用の記録媒体から読み出した利用者情報とを比較し、両利用者情報が一致している場合は、該コンテンツデータの利用を許可し、両利用者情報が一致していない場合は該コンテンツデータの利用を禁止するステップと
を有することを特徴とする情報通信端末におけるデータ処理方法。
【請求項２】
請求項１の情報通信端末におけるデータ処理方法において、
前記情報通信端末に装着された利用者情報保存用の記録媒体から利用者情報を読み出すとともに該利用者情報に対応する利用者固有鍵情報を暗号鍵管理サーバからダウンロードし、該利用者情報及び該利用者固有鍵情報を該情報通信端末の内部メモリに一旦保存するステップと、
利用者情報保存用の記録媒体が情報通信端末から取り外されるとき、又は、その後に利用者情報保存用の記録媒体が該情報通信端末に装着されるときに、該情報通信端末の内部メモリに一旦保存されている該該利用者情報及び該利用者固有鍵情報を自動消去するステップと
を更に有することを特徴とする情報通信端末におけるデータ処理方法。
【請求項３】
利用者情報保存用の記録媒体が着脱可能であり、外部のサーバからコンテンツデータをダウンロード可能な情報通信端末であって、
外部のサーバからコンテンツデータをダウンロードしたとき、該コンテンツデータを該利用者情報保存用の記録媒体から読み出した利用者情報と関連付けて該情報通信端末の内部メモリに保存し、
該内部メモリに保存されているコンテンツデータを該情報通信端末に装着された外部記憶装置へ移動する指示操作があったとき、該内部メモリから読み出した該コンテンツデータに関連付けられた利用者情報と、該利用者情報保存用の記録媒体から読み出した利用者情報とを比較し、両利用者情報が一致している場合は、暗号鍵管理サーバからダウンロードした利用者固有鍵情報を用いて該コンテンツデータを該利用者情報とともに暗号化して該外部記憶装置に移動し、両利用者情報が一致していない場合は、該コンテンツデータの該外部記憶装置への移動を禁止し、
該外部記憶装置に保存されているコンテンツデータを該内部メモリへ移動する指示操作があったとき、該暗号鍵管理サーバからダウンロードした利用者固有鍵情報を用いて、該外部記憶装置から読み出した暗号化済みのコンテンツデータを該利用者情報とともに復号化し、復号化できた場合は、復号化済みのコンテンツデータを該利用者情報と関連付けて該内部メモリに移動し、復号化できなかった場合は、該コンテンツデータの該内部メモリへの移動を禁止し、
該内部メモリに保存されている該コンテンツデータを利用する指示操作があったとき、該内部メモリから読み出した該コンテンツデータに関連付けられた利用者情報と、該利用者情報保存用の記録媒体から読み出した利用者情報とを比較し、両利用者情報が一致している場合は、該コンテンツデータの利用を許可し、両利用者情報が一致していない場合は該コンテンツデータの利用を禁止する
制御手段を備えたことを特徴とする情報通信端末。
【請求項４】
請求項３の情報通信端末において、
前記制御手段は、
前記情報通信端末に装着された利用者情報保存用の記録媒体から利用者情報を読み出すとともに該利用者情報に対応する利用者固有鍵情報を暗号鍵管理サーバからダウンロードし、該利用者情報及び該利用者固有鍵情報を該情報通信端末の内部メモリに一旦保存し、
利用者情報保存用の記録媒体が情報通信端末から取り外されるとき、又は、その後に利用者情報保存用の記録媒体が該情報通信端末に装着されるときに、該情報通信端末の内部メモリに一旦保存されている該該利用者情報及び該利用者固有鍵情報を自動消去することを特徴とする情報通信端末。
【発明の詳細な説明】
【０００１】
【発明の属する技術分野】
本発明は、外部から取得したコンテンツデータを携帯電話機等の情報通信端末で処理するデータ処理方法及びその方法に用いる情報通信端末に関するものである。
【０００２】
【従来の技術】
従来、情報通信端末としての携帯電話機では、画像データ、音楽データ、ゲームなどのプログラムデータ等のコンテンツデータをダウンロードして利用する場合があった。このコンテンツデータは、インターネット上の情報提供サイトや携帯電話通信事業者等が管理運営する情報提供システム等からダウンロードされ、携帯電話機の内部メモリに保存されて利用される。そして、このコンテンツデータは、バックアップ等のために着脱可能な外部記憶装置としてのメモリカードに保存する場合があった（例えば、特許文献１参照）。
このように携帯電話機本体内の内部メモリやメモリカード等に保存したコンテンツデータの中には、著作権で保護されたものがある。特に、有料でダウンロードされた画像データ、音楽データ、ゲームなどのプログラムデータ等の多くは著作権で保護されている。これらのコンテンツデータは、そのコンテンツデータをダウンロードした利用者以外の者による利用が禁止されている場合が多い。
【０００３】
また、利用者情報保存用の記録媒体としてのＵＳＩＭ（User Subscriber Identity Module）が着脱可能な携帯電話機が知られている（例えば、特許文献２参照）。このＵＳＩＭは例えばＩＣカードで構成され、携帯電話通信事業者から発行される。そして、ＵＳＩＭは、携帯電話機を利用する利用者（携帯電話機の契約者）の情報等が記録されている。このＵＳＩＭを複数の携帯電話機に対して差し替えて使用することにより、それらの複数の携帯電話機を同じ契約者扱いで利用することができる。
【０００４】
【特許文献１】
特開２００２−１７１２５１号公報
【特許文献２】
特開２００２−１３５４０７号公報
【０００５】
【発明が解決しようとする課題】
ところが、上記ＵＳＩＭを用いると、外部の情報提供サイト等からコンテンツデータをダウンロードして取得した利用者以外の者が、そのコンテンツデータを携帯電話機で利用できるようになってしまうという問題点が生じ得ることがわかった。
例えば、利用者Ａが自分のＵＳＩＭ−Ａを携帯電話機に装着して情報提供サイトにアクセスし、コンテンツデータをダウンロードして携帯電話機の内部メモリやメモリカードに保存する。その後、利用者Ａ以外の利用者Ｂが、利用者Ａが使用していた携帯電話機に利用者ＢのＵＳＩＭ−Ｂを装着し、携帯電話機を使用できる状態にする。この状態で、利用者Ｂは、利用者Ａがダウンロードして内部メモリやメモリーカードに保存したコンテンツデータを読み出して利用するおそれがある。
【０００６】
本発明は以上の問題点に鑑みなされたものであり、その目的は次のとおりである。即ち、情報通信端末に着脱可能な利用者情報保存用の記録媒体を用いる場合に、外部のサーバからコンテンツデータをダウンロードした利用者以外の者が当該コンテンツデータの移動及び利用を行うのを防止することができるデータ処理方法及び情報通信端末を提供することである。
【０００７】
【課題を解決するための手段】
上記目的を達成するために、請求項１の発明は、利用者情報保存用の記録媒体が着脱可能な情報通信端末において外部から取得したコンテンツデータを処理する情報通信端末におけるデータ処理方法であって、外部のサーバからコンテンツデータをダウンロードしたとき、該コンテンツデータを該利用者情報保存用の記録媒体から読み出した利用者情報と関連付けて該情報通信端末の内部メモリに保存するステップと、該内部メモリに保存されているコンテンツデータを該情報通信端末に装着された外部記憶装置へ移動する指示操作があったとき、該内部メモリから読み出した該コンテンツデータに関連付けられた利用者情報と、該利用者情報保存用の記録媒体から読み出した利用者情報とを比較し、両利用者情報が一致している場合は、暗号鍵管理サーバからダウンロードした利用者固有鍵情報を用いて該コンテンツデータを該利用者情報とともに暗号化して該外部記憶装置に移動し、両利用者情報が一致していない場合は、該コンテンツデータの該外部記憶装置への移動を禁止するステップと、該外部記憶装置に保存されているコンテンツデータを該内部メモリへ移動する指示操作があったとき、該暗号鍵管理サーバからダウンロードした利用者固有鍵情報を用いて、該外部記憶装置から読み出した暗号化済みのコンテンツデータを該利用者情報とともに復号化し、復号化できた場合は、復号化済みのコンテンツデータを該利用者情報と関連付けて該内部メモリに移動し、復号化できなかった場合は、該コンテンツデータの該内部メモリへの移動を禁止するステップと、該内部メモリに保存されている該コンテンツデータを利用する指示操作があったとき、該内部メモリから読み出した該コンテンツデータに関連付けられた利用者情報と、該利用者情報保存用の記録媒体から読み出した利用者情報とを比較し、両利用者情報が一致している場合は、該コンテンツデータの利用を許可し、両利用者情報が一致していない場合は該コンテンツデータの利用を禁止するステップとを有することを特徴とするものである。
また、請求項２の発明は、請求項１の情報通信端末におけるデータ処理方法において、前記情報通信端末に装着された利用者情報保存用の記録媒体から利用者情報を読み出すとともに該利用者情報に対応する利用者固有鍵情報を暗号鍵管理サーバからダウンロードし、該利用者情報及び該利用者固有鍵情報を該情報通信端末の内部メモリに一旦保存するステップと、利用者情報保存用の記録媒体が情報通信端末から取り外されるとき、又は、その後に利用者情報保存用の記録媒体が該情報通信端末に装着されるときに、該情報通信端末の内部メモリに一旦保存されている該該利用者情報及び該利用者固有鍵情報を自動消去するステップとを更に有することを特徴とするものである。
また、請求項３の発明は、利用者情報保存用の記録媒体が着脱可能であり、外部のサーバからコンテンツデータをダウンロード可能な情報通信端末であって、外部のサーバからコンテンツデータをダウンロードしたとき、該コンテンツデータを該利用者情報保存用の記録媒体から読み出した利用者情報と関連付けて該情報通信端末の内部メモリに保存し、該内部メモリに保存されているコンテンツデータを該情報通信端末に装着された外部記憶装置へ移動する指示操作があったとき、該内部メモリから読み出した該コンテンツデータに関連付けられた利用者情報と、該利用者情報保存用の記録媒体から読み出した利用者情報とを比較し、両利用者情報が一致している場合は、暗号鍵管理サーバからダウンロードした利用者固有鍵情報を用いて該コンテンツデータを該利用者情報とともに暗号化して該外部記憶装置に移動し、両利用者情報が一致していない場合は、該コンテンツデータの該外部記憶装置への移動を禁止し、該外部記憶装置に保存されているコンテンツデータを該内部メモリへ移動する指示操作があったとき、該暗号鍵管理サーバからダウンロードした利用者固有鍵情報を用いて、該外部記憶装置から読み出した暗号化済みのコンテンツデータを該利用者情報とともに復号化し、復号化できた場合は、復号化済みのコンテンツデータを該利用者情報と関連付けて該内部メモリに移動し、復号化できなかった場合は、該コンテンツデータの該内部メモリへの移動を禁止し、該内部メモリに保存されている該コンテンツデータを利用する指示操作があったとき、該内部メモリから読み出した該コンテンツデータに関連付けられた利用者情報と、該利用者情報保存用の記録媒体から読み出した利用者情報とを比較し、両利用者情報が一致している場合は、該コンテンツデータの利用を許可し、両利用者情報が一致していない場合は該コンテンツデータの利用を禁止する制御手段を備えたことを特徴とするものである。
また、請求項４の発明は、請求項３の情報通信端末において、前記制御手段は、前記情報通信端末に装着された利用者情報保存用の記録媒体から利用者情報を読み出すとともに該利用者情報に対応する利用者固有鍵情報を暗号鍵管理サーバからダウンロードし、該利用者情報及び該利用者固有鍵情報を該情報通信端末の内部メモリに一旦保存し、利用者情報保存用の記録媒体が情報通信端末から取り外されるとき、又は、その後に利用者情報保存用の記録媒体が該情報通信端末に装着されるときに、該情報通信端末の内部メモリに一旦保存されている該該利用者情報及び該利用者固有鍵情報を自動消去することを特徴とするものである。
【０００９】
請求項１のデータ処理方法及び請求項３の情報通信端末では、外部のサーバからコンテンツデータをダウンロードしたとき、情報通信端末に装着されている利用者情報保存用の記録媒体から読み出した利用者情報をコンテンツデータと関連付けて保存する。このように利用者情報を関連付けて保存することにより、そのコンテンツデータをダウンロードして保存した利用者を判断できるようになる。
そして、上記情報通信端末に利用者情報保存用の記録媒体を装着してコンテンツデータの保存、移動及び利用を行うときには、次のように処理する。
即ち、内部メモリに保存されているコンテンツデータを情報通信端末に装着された外部記憶装置へ移動する指示操作があったとき、内部メモリから読み出したコンテンツデータに関連付けられた利用者情報と、利用者情報保存用の記録媒体から読み出した利用者情報とを比較し、両利用者情報が一致している場合は、暗号鍵管理サーバからダウンロードした利用者固有鍵情報を用いてコンテンツデータを利用者情報とともに暗号化して外部記憶装置に移動し、両利用者情報が一致していない場合は、コンテンツデータの外部記憶装置への移動を禁止する。これにより、外部のサーバからダウンロードした利用者以外の者が自分の利用者情報保存用の記録媒体を上記情報通信端末に装着してコンテンツデータを内部メモリから外部記憶装置に移動するのを防止することができる。
また、外部記憶装置に保存されているコンテンツデータを内部メモリへ移動する指示操作があったとき、暗号鍵管理サーバからダウンロードした用者固有鍵情報を用いて、外部記憶装置から読み出した暗号化済みのコンテンツデータを利用者情報とともに復号化し、復号化できた場合は、復号化済みのコンテンツデータを利用者情報と関連付けて内部メモリに移動し、復号化できなかった場合は、コンテンツデータの内部メモリへの移動を禁止する。これにより、外部のサーバからダウンロードした利用者以外の者が自分の利用者情報保存用の記録媒体を上記情報通信端末に装着してコンテンツデータを外部記憶装置から内部メモリに移動するのを防止することができる。
また、内部メモリに保存されている該コンテンツデータを利用する指示操作があったとき、該内部メモリから読み出した該コンテンツデータに関連付けられた利用者情報と、該利用者情報保存用の記録媒体から読み出した利用者情報とを比較し、両利用者情報が一致している場合は、該コンテンツデータの利用を許可し、両利用者情報が一致していない場合は該コンテンツデータの利用を禁止する。これにより、外部のサーバからダウンロードした利用者以外の者が自分の利用者情報保存用の記録媒体を上記情報通信端末に装着してコンテンツデータを利用するのを防止することができる。
【００１１】
なお、上記コンテンツデータの「利用」には、画像の表示、音楽の出力、プログラムの実行のほか、情報通信端末の本体部分にあるデータ記憶手段と、外部記録装置との間のコンテンツデータの移動等も含まれる。
また、上記外部から取得したコンテンツデータの「保存」には、情報通信端末の本体部分にあるデータ記憶手段への保存のほか、外部記録装置への保存も含まれる。
ここで、上記「外部記憶装置」には、情報通信端末に対して着脱可能な記録媒体のほか、近距離無線通信やケーブル通信、赤外線通信等を介して情報通信端末との間でデータの送受信が可能なパソコン等の装置が含まれる。上記着脱可能な記録媒体としては、ＳＤメモリーカードのほか、ＣＦ（コンパクトフラッシュ：登録商標）メモリーカード、スマートメディア、メモリースティック、ＭＭＣ（マルチメディアカード）等が挙げられる。
【００１２】
また、上記「情報通信端末」には、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＰＨＳ（Personal Handyphone System）、自動車電話等の電話機のほか、携帯電話モジュールを付加した情報通信端末も含まれる。また、この「情報通信端末」は、上記携帯電話機などの移動型の情報通信端末でいいし、ディスクトップ型パーソナルコンピュータなどの固定型の情報通信端末であってもよい。
また、上記「情報通信端末」は、上記利用者情報保存用の記録媒体を着脱できる部分を別体の装置で構成したものであってもよい。
【００１３】
また、上記情報通信端末における制御は、情報通信端末内に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【００１４】
【発明の実施の形態】
以下、本発明の実施の形態を図面を参照しながら説明する。
図２は、本発明のデータ処理方法に用いることができる情報通信端末としての携帯電話機の概略構成図である。この携帯電話機の本体部分１００は、制御部１１１、内部メモリ１１２、無線通信部１１３及びアンテナ１１４を備えている。また、制御部１１１には、音声処理部１１５を介してマイク１１６及びスピーカ１１７が接続され、画像処理部１１８を介して表示部１１９が接続され、更にキー操作部１２０が接続されている。
また、上記携帯電話機は、外部記憶装置としてのメモリーカード１２１と、利用者情報保存用の記録媒体としてのＵＳＩＭ（User Subscriber Identity Module）１２２とが着脱可能に構成されている。
【００１５】
上記制御部１１１は例えばＣＰＵ、キャッシュメモリ、システムバス等で構成され、所定の制御プログラムを実行することにより内部メモリ１１２や無線通信部１１３等の各部との間でデータの送受信を行ったり各部を制御したりする。また、この制御部１１１は、後述のメモリーカード１２１との間のデータ移動、ＵＳＩＭ１２２との間の情報の書込及び読出、コンテンツデータの暗号化及び復号化等の制御を行う制御手段としても用いられる。
上記内部メモリ１１２は例えばＲＡＭやＲＯＭなどの半導体メモリで構成され、制御部１１１で実行する制御プログラムや各種データを記憶するものである。また、この内部メモリ１１２は、情報提供サイトなどからダウンロードした画像、音楽、プログラム等のコンテンツデータを記憶するコンテンツデータ記憶手段としても用いられる。
【００１６】
上記無線通信部１１４は制御部１１１で制御され、アンテナ１１４を介して、所定の通信方式により携帯電話通信網の基地局との間で無線通信を行うものである。この無線通信により、特定の携帯電話機等との間で音声電話通信を行ったり、電子メールの送受信や情報提供サイトからのコンテンツダウンロード等のデータ通信を行ったりすることができる。
上記音声処理部１１５は、マイクロフォン１１６から入力された送話音声信号を所定方式で符号化して制御部１１１に送る。また、この音声処理部１１５は、無線通信部１１３で受信した受話音声信号を復号化してスピーカ１１７から出力する。更に、この音声処理部１１５は、内部メモリ１１２に記憶されている着信メロディやアプリケーションプログラムで用いる効果音等の音信号をスピーカ１１７から出力する。
上記画像処理部１１８は、無線通信部１１３で受信した画像データや、内部メモリ１１２に記憶されているアイコンやメニュー等の画像データを処理し、液晶ディスプレイ（ＬＣＤ）等からなる表示部に表示させる。
上記キー操作部１２０は、データ入力キー（テンキー、＊キー、＃キー）、通話開始キー、終話キー、スクロールキー、多機能キー等を備え、電話の発信や着信のほか、表示部１１９に表示される情報のスクロールや選択等に用いる。
【００１７】
上記メモリーカード１２１は、携帯電話機の図示しないメモリーカードスロットに対して着脱可能になっている。このメモリーカード１２１としては例えばＳＤメモリーカードを使用することができる。また、このＳＤメモリーカード以外にも、ＣＦ（コンパクトフラッシュ：登録商標）メモリーカード、スマートメディア、メモリースティック、ＭＭＣ（マルチメディアカード）等を使用することができる。
【００１８】
上記ＵＳＩＭ１２２は例えばＩＣカードで構成され、携帯電話機の図示しないＵＳＩＭスロットに対して着脱可能になっている。このＵＳＩＭ１２２は例えば携帯電話通信事業者から発行され、携帯電話機を利用する利用者（携帯電話機の契約者）の情報等が記録される。このＵＳＩＭ１２２を携帯電話機に装着することにより、その携帯電話機を所定の契約内容で使用することができる。また、このＵＳＩＭ１２２を同様な機能を有する複数の携帯電話機に対して差し替えて使用することにより、それらの複数の携帯電話機を同じ契約者扱いで利用することができる。
【００１９】
図１は、情報提供サイトからダウンロードした画像、音声、プログラム等のコンテンツデータを携帯電話機の内部メモリ１１２又はメモリーカード１２１に保存するときの制御手順の一例を示すフローチャートである。
まず、利用者Ａが携帯電話機を操作し、情報提供サイトへアクセスし、画像、音声、プログラム等のコンテンツデータをダウンロードする（ステップ１）。このダウンロードされたコンテンツデータは、携帯電話機のキャッシュメモリに記憶される。
次に、利用者Ａが携帯電話機を操作し、ダウンロードしたコンテンツデータを保存する保存先を指定する（ステップ２）。具体的には、携帯電話機本体１００内の内部メモリ１１２又は携帯電話機に装着したメモリーカード１２１のいずれかを指定する。なお、このコンテンツデータの保存先は、携帯電話機が自動的に指定するようにしてもよい。
ここで、保存先として内部メモリ１１２を指定した場合は、携帯電話機に装着されている利用者ＡのＵＳＩＭ１２２から利用者情報が読み出され（ステップ３）、この利用者情報と保存対象のコンテンツデータとが関連付けられる（ステップ４）。そして、互いに関連付けられた利用者情報とコンテンツデータとが内部メモリ１１２に保存される（ステップ５）。一方、保存先としてメモリーカード１２１を指定した場合は、上記関連付けられた利用者情報とコンテンツデータとが、携帯電話機に装着されているメモリーカード１２１に保存される（ステップ６〜８）。
【００２０】
なお、上記保存先としてメモリーカード１２１を指定した場合は、上記互いに関連付けられた利用者情報とコンテンツデータとを暗号化し（ステップ７’）、メモリーカード１２１に保存するようにしてもよい（ステップ８）。この暗号化処理には、携帯電話機内に予め保存されている暗号鍵情報を用いることができる。このように利用者情報及びコンテンツデータを暗号化して保存することにより、メモリーカード１２１を他の携帯電話機やパソコン等に装着してコンテンツデータを利用するのを防止することができる。
【００２１】
図３は、上記携帯電話機の内部メモリ１１２に保存されたコンテンツデータを表示等に利用するときの制御手順の一例を示すフローチャートである。
まず、利用者が携帯電話機を操作し、特定のコンテンツデータ選択して表示等を指示すると、ＵＳＩＭ１２２から利用者情報が読み出される（ステップ１）。
そして、携帯電話機の内部メモリ１１２から、上記コンテンツデータとそれに関連付けられている利用者情報とが読み出される（ステップ２）。
次に、ＵＳＩＭ１２２から読み出された利用者情報と、内部メモリ１１２から読み出された利用者情報とが比較される（ステップ３）。ここで、両方の利用者情報が一致する場合、即ち携帯電話機に装着されているＵＳＩＭ１２２が利用者ＡのＵＳＩＭである場合は、コンテンツデータが展開されて表示等が行われる（ステップ４〜６）。一方、上記両方の利用者情報が異なる場合、即ち携帯電話機に装着されているＵＳＩＭ１２２が利用者Ａ以外の利用者のＵＳＩＭである場合は、コンテンツデータの展開が禁止される（ステップ４、７）。
【００２２】
図４は、上記携帯電話機の内部メモリ１１２に保存されたコンテンツデータをメモリカード１２１への移動に利用するときの制御手順の一例を示すフローチャートである。
この制御においても、上記図３と同様に、ＵＳＩＭ１２２から読み出された利用者情報と、内部メモリ１１２から読み出された利用者情報とが比較される（ステップ３）。ここで、両方の利用者情報が一致する場合、即ち携帯電話機に装着されているＵＳＩＭ１２２が利用者ＡのＵＳＩＭである場合は、ＵＳＩＭ１２２から読み出された利用者固有の暗号鍵情報を用いて、互いに関連付けられたコンテンツデータ及び利用者情報が一緒に暗号化されてメモリカード１２１へ移動される（ステップ４〜６）。一方、上記両方の利用者情報が異なる場合、即ち携帯電話機に装着されているＵＳＩＭ１２２が利用者Ａ以外の利用者のＵＳＩＭである場合は、コンテンツデータの移動が禁止される（ステップ４、７）。
なお、上記メモリカード１２１には、コンテンツデータのみを暗号化して保存するようにしてもよい。この場合は、利用者情報がメモリーカードを介して外部に漏れる危険性が少ない。また、メモリカード１２１内に保存された暗号化済のコンテンツデータを内部メモリ１１２へ移動する場合は、後述の図１１の制御が実行される。
【００２３】
図５は、上記携帯電話機に装着されているメモリーカード１２１に保存されたコンテンツデータを表示等に利用するときの制御手順の一例を示すフローチャートである。
まず、利用者が携帯電話機を操作し、特定のコンテンツデータ選択して表示等を指示すると、ＵＳＩＭ１２２から利用者情報が読み出される（ステップ１）。
そして、携帯電話機に装着されているメモリカード１２１から、上記コンテンツデータとそれに関連付けられている利用者情報とが読み出される（ステップ２）。
次に、ＵＳＩＭ１２２から読み出された利用者情報と、メモリカード１２１から読み出された利用者情報とが比較される（ステップ３）。ここで、両方の利用者情報が一致する場合、即ち携帯電話機に装着されているＵＳＩＭ１２２が利用者ＡのＵＳＩＭである場合は、コンテンツデータが展開されて表示等が行われる（ステップ４〜６）。一方、上記両方の利用者情報が異なる場合、即ち携帯電話機に装着されているＵＳＩＭ１２２が利用者Ａ以外の利用者のＵＳＩＭである場合は、コンテンツデータの展開が禁止される（ステップ４、７）。
なお、上記コンテンツデータ等が暗号化されてメモリカード１２１に保存されているときは、メモリカード１２１から読み出されたコンテンツデータ及び利用者情報の復号化処理（ステップ２’）が行われた後に、上記利用者情報の比較が実行される。
【００２４】
図６は、上記携帯電話機に装着されているメモリカード１２１に保存されたコンテンツデータを内部メモリ１１２への移動に利用するときの制御手順の一例を示すフローチャートである。
この制御においても、上記図５と同様に、ＵＳＩＭ１２２から読み出された利用者情報と、内部メモリ１１２から読み出された利用者情報とが比較される（ステップ３）。ここで、両方の利用者情報が一致する場合、即ち携帯電話機に装着されているＵＳＩＭ１２２が利用者ＡのＵＳＩＭである場合は、コンテンツデータが内部メモリ１１２へ移動される（ステップ４〜５）。一方、上記両方の利用者情報が異なる場合、即ち携帯電話機に装着されているＵＳＩＭ１２２が利用者Ａ以外の利用者のＵＳＩＭである場合は、コンテンツデータの移動が禁止される（ステップ４、６）。
【００２５】
以上、本実施形態によれば、携帯電話機の内部メモリ１１２やメモリカード１２１に保存されているコンテンツデータを利用しようとするとき、ＵＳＩＭ１２２内の利用者情報とコンテンツデータに関連付けられている利用者情報とを比較している。そして、その比較の結果、両方の利用者情報が異なる場合はコンテンツデータの利用（表示、出力、実行、移動等）を禁止する。このようにコンテンツデータの利用を禁止することにより、外部から取得した利用者（本実施形態では利用者Ａ）以外の者が自分のＵＳＩＭを上記携帯電話機に装着してコンテンツデータを利用するのを防止することができる。
【００２６】
なお、上記実施形態では、コンテンツデータを保存するときに、ＵＳＩＭ１２２から読み出した利用者情報をコンテンツデータに関連付けて保存しているが、ＵＳＩＭ１２２から読み出した利用者固有の暗号鍵情報で暗号化して保存してもよい。この暗号化に用いる利用者固有の暗号鍵情報は、予めＵＳＩＭ１２２に記録しておく。また、ＵＳＩＭ１２２を携帯電話機に装着したときに暗号鍵管理サーバから携帯電話通信網を介して該当する利用者固有の暗号鍵情報をダウンロードするようにしてもよい。
【００２７】
図７は、情報提供サイトからダウンロードした画像、音声、プログラム等のコンテンツデータを利用者固有の暗号鍵情報で暗号化し、携帯電話機の内部メモリ１１２等に保存するときの制御手順の一例を示すフローチャートである。
まず、利用者Ａが携帯電話機を操作し、情報提供サイトへアクセスし、画像、音声、プログラム等のコンテンツデータをダウンロードする（ステップ１）。このダウンロードされたコンテンツデータは、携帯電話機のキャッシュメモリに記憶される。
次に、利用者Ａが携帯電話機を操作し、ダウンロードしたコンテンツデータを保存する保存先をする（ステップ２）。具体的には、携帯電話機本体１００内の内部メモリ１１２又は携帯電話機に装着したメモリーカード１２１のいずれかを指定する。
ここで、保存先として内部メモリ１１２を指定した場合は、携帯電話機に装着されている利用者ＡのＵＳＩＭ１２２から、利用者Ａの利用者固有の暗号鍵情報が読み出される（ステップ３）。そして、この暗号鍵情報を用いて保存対象のコンテンツデータが暗号化処理され、内部メモリ１１２に保存される（ステップ４、５）。一方、保存先としてメモリーカード１２１を指定した場合は、上記利用者Ａの利用者固有の暗号鍵情報で暗号化されたコンテンツデータが、携帯電話機に装着されているメモリーカード１２１に保存される（ステップ６〜８）。
【００２８】
図８は、上記携帯電話機の内部メモリ１１２に保存された暗号化済コンテンツデータを表示等に利用するときの制御手順の一例を示すフローチャートである。
まず、利用者が携帯電話機を操作し、特定のコンテンツデータ選択して表示等を指示すると、ＵＳＩＭ１２２から利用者固有の暗号鍵情報が読み出される（ステップ１）。そして、携帯電話機の内部メモリ１１２から、上記暗号化済コンテンツデータが読み出される（ステップ２）。
次に、ＵＳＩＭ１２２から読み出された利用者固有の暗号鍵情報を用いて、内部メモリ１１２から読み出された暗号化済コンテンツデータの復号化処理が行われる（ステップ３）。ここで、暗号化済コンテンツデータの復号化ができた場合、即ち携帯電話機に装着されているＵＳＩＭ１２２が利用者ＡのＵＳＩＭである場合は、コンテンツデータを暗号化した利用者と同コンテンツデータを復号化した利用者とが同じであると判断され、同コンテンツデータが展開されて表示等が行われる（ステップ４〜６）。一方、上記暗号化済コンテンツデータの復号化ができなかった場合、即ち携帯電話機に装着されているＵＳＩＭ１２２が利用者Ａ以外の利用者のＵＳＩＭである場合は、コンテンツデータを暗号化した利用者と同コンテンツデータを復号化した利用者とが異なると判断され、同コンテンツデータの展開が禁止される（ステップ４、７）。
【００２９】
図９は、上記携帯電話機の内部メモリ１１２に保存された暗号化済コンテンツデータをメモリカード１２１への移動に利用するときの制御手順の一例を示すフローチャートである。
この制御においても、上記図８と同様に、内部メモリ１１２から読み出された暗号化済コンテンツデータの復号化処理が行われる（ステップ３）。ここで、暗号化済コンテンツデータの復号化ができた場合、即ち携帯電話機に装着されているＵＳＩＭ１２２が利用者ＡのＵＳＩＭである場合は、コンテンツデータが再び暗号化されてメモリカード１２１へ移動される（ステップ４〜６）。一方、上記暗号化済コンテンツデータの復号化ができなかった場合、即ち携帯電話機に装着されているＵＳＩＭ１２２が利用者Ａ以外の利用者のＵＳＩＭである場合は、コンテンツデータの移動が禁止される（ステップ４、７）。
【００３０】
図１０は、上記携帯電話機に装着されているメモリーカード１２１に保存された暗号化済コンテンツデータを表示等に利用するときの制御手順の一例を示すフローチャートである。
まず、利用者が携帯電話機を操作し、特定のコンテンツデータ選択して表示等を指示すると、ＵＳＩＭ１２２から利用者固有の暗号鍵情報が読み出される（ステップ１）。そして、携帯電話機に装着されているメモリカード１２１から、上記暗号化済コンテンツデータが読み出される（ステップ２）。
次に、ＵＳＩＭ１２２から読み出された利用者固有の暗号鍵情報を用いて、内部メモリ１１２から読み出された暗号化済コンテンツデータの復号化処理が行われる（ステップ３）。暗号化済コンテンツデータの復号化ができた場合、即ち携帯電話機に装着されているＵＳＩＭ１２２が利用者ＡのＵＳＩＭである場合は、コンテンツデータが展開されて表示等が行われる（ステップ４〜６）。一方、上記暗号化済コンテンツデータの復号化ができなかった場合、即ち携帯電話機に装着されているＵＳＩＭ１２２が利用者Ａ以外の利用者のＵＳＩＭである場合は、コンテンツデータの展開が禁止される（ステップ４、７）。
【００３１】
図１１は、上記携帯電話機に装着されているメモリカード１２１に保存された暗号化済コンテンツデータを内部メモリ１１２への移動に利用するときの制御手順の一例を示すフローチャートである。
この制御においても、上記図１０と同様に、内部メモリ１１２から読み出された暗号化済コンテンツデータの復号化処理が行われる（ステップ３）。ここで、暗号化済コンテンツデータの復号化ができた場合、即ち携帯電話機に装着されているＵＳＩＭ１２２が利用者ＡのＵＳＩＭである場合は、コンテンツデータが内部メモリ１１２へ移動される（ステップ４〜５）。なお、この復号化できたコンテンツデータの内部メモリ１１２への移動の際に、ＵＳＩＭ１２２から利用者情報が読み出され、この利用者情報がコンテンツデータに関連付けられて内部メモリ１１２に保存される。一方、上記暗号化済コンテンツデータの復号化ができなかった場合、即ち携帯電話機に装着されているＵＳＩＭ１２２が利用者Ａ以外の利用者のＵＳＩＭである場合は、コンテンツデータの移動が禁止される（ステップ４、６）。
【００３２】
図１２は、利用者ＡのＵＳＩＭ１２２が装着された携帯電話機１０におけるコンテンツサーバ２０からのコンテンツデータのダウンロード、内部メモリ１１２からメモリーカード１２１へのデータ移動、及びメモリーカード１２１から内部メモリ１１２へのデータ移動の一連のデータ処理の一例を示す説明図である。このデータ処理では、前述の図１の制御手順により、コンテンツサーバ２０からダウンロードされたコンテンツデータが利用者情報と関連付けられて携帯電話機の内部メモリ１１２に保存される。そして、前述の図４の制御手順により、携帯電話機の内部メモリ１１２内に保存されている互いに関連付けられているコンテンツデータ及び利用者情報が、利用者Ａ固有の暗号鍵情報を用いて暗号化され、メモリーカード１２１に移動して保存される。また、前述の図６の制御手順により、メモリカード１２１内に保存されている暗号化済のコンテンツデータ及び利用者情報が、利用者Ａ固有の暗号鍵情報を用いて復号化され、携帯電話機の内部メモリ１１２に移動して保存される。
【００３３】
また、図１３は上記一連のデータ処理の他の一例を示す説明図である。このデータ処理では、コンテンツデータのみが暗号化されてメモリカード１２１に保存される。まず、前述の図１の制御手順により、コンテンツサーバ２０からダウンロードされたコンテンツデータが利用者情報と関連付けられて携帯電話機の内部メモリ１１２に保存される。そして、前述の図４の制御手順により、携帯電話機の内部メモリ１１２内に保存されているコンテンツデータのみが、利用者Ａ固有の暗号鍵情報を用いて暗号化され、メモリーカード１２１に移動して保存される。また、前述の図１１の制御手順により、メモリカード１２１内に保存されている暗号化済のコンテンツデータが、利用者Ａ固有の暗号鍵情報を用いて復号化され、携帯電話機の内部メモリ１１２に移動して保存される。
【００３４】
なお、上記実施形態の各制御例では、ＵＳＩＭ１２２内の利用者情報や利用者固有の暗号鍵情報をその都度読み出して用いているが、ＵＳＩＭ１２２から読み出して携帯電話機１０内に一旦保存した利用者情報や利用者固有の暗号鍵情報を上記各制御に用いるようにしてもよい。この場合、ＵＳＩＭ１２２を携帯電話機１０の本体部分１００に装着したときにＵＳＩＭ１２２に記録されている利用者情報が自動的に読み出され、例えば内部メモリ１１２の所定領域に保存される。なお、携帯電話機１０の内部メモリ１１２等内に一旦保存された利用者情報や利用者固有の暗号鍵情報は、ＵＳＩＭ１２２が携帯電話機１０の本体部分１００から取り外される際、あるいはその後にＵＳＩＭ１２２が携帯電話機１０の本体部分１００に装着される際に、自動的に消去される。
【００３５】
また、上記実施形態では、携帯電話機とその携帯電話機に装着した外部記憶装置としてのメモリーカード１２１との間でデータ移動する場合について説明したが、本発明は、携帯電話機と他の外部記憶装置との間でデータ移動する場合にも適用できるものである。例えば、ＵＳＢ（Universal Serial Bus）等のケーブルを用いて携帯電話機とパソコン等の情報機器との間でデータを移動する場合にも適用できる。また、Bluetooth（登録商標）等の近距離無線通信を用いて携帯電話機と他の携帯電話機やパソコン等の情報機器との間でデータを移動する場合にも適用できる。更に、赤外線通信（IrDA）を用いて携帯電話機と他の携帯電話機やパソコン等の情報機器との間でデータを移動する場合にも適用できる。
また、本発明は、上記ＵＳＩＭ１２２などの利用者情報保存用の記録媒体が着脱可能なものであれば、携帯電話機以外の情報通信端末の場合にも適用できるものである。
【００３６】
【発明の効果】
請求項１乃至４の発明によれば、情報通信端末に着脱可能な利用者情報保存用の記録媒体を用いる場合に、外部のサーバからコンテンツデータをダウンロードした利用者以外の者が当該コンテンツデータの移動及び利用を行うのを防止することができるという効果がある。
【図面の簡単な説明】
【図１】本発明の実施形態に係る携帯電話機の内部メモリ又はメモリーカードにコンテンツデータを保存するときの制御手順の一例を示すフローチャート。
【図２】同携帯電話機の概略構成図。
【図３】同携帯電話機の内部メモリに保存されたコンテンツデータを表示等に利用するときの制御手順の一例を示すフローチャート。
【図４】同携帯電話機の内部メモリに保存されたコンテンツデータをメモリカードへの移動に利用するときの制御手順の一例を示すフローチャート。
【図５】同携帯電話機に装着されているメモリーカードに保存されたコンテンツデータを表示等に利用するときの制御手順の一例を示すフローチャート。
【図６】同携帯電話機に装着されているメモリカードに保存されたコンテンツデータを内部メモリへの移動に利用するときの制御手順の一例を示すフローチャート。
【図７】他の実施形態に係る携帯電話機でコンテンツデータを利用者固有の暗号鍵情報で暗号化して内部メモリ又はメモリカード等に保存するときの制御手順の一例を示すフローチャート。
【図８】同携帯電話機の内部メモリに保存された暗号化済コンテンツデータを表示等に利用するときの制御手順の一例を示すフローチャート。
【図９】同携帯電話機の内部メモリに保存された暗号化済コンテンツデータをメモリカードへの移動に利用するときの制御手順の一例を示すフローチャート。
【図１０】同携帯電話機に装着されているメモリーカードに保存された暗号化済コンテンツデータを表示等に利用するときの制御手順の一例を示すフローチャート。
【図１１】同携帯電話機に装着されているメモリカードに保存された暗号化済コンテンツデータを内部メモリへの移動に利用するときの制御手順の一例を示すフローチャート。
【図１２】本実施形態における制御手順を組み合わせたデータ処理の一例を示す説明図。
【図１３】本実施形態における制御手順を組み合わせたデータ処理の他の一例を示す説明図。
【符号の説明】
１０    携帯電話機
２０    コンテンツサーバ
１００  携帯電話機の本体部分
１１１  制御部
１１２  内部メモリ
１２１  メモリーカード（外部記憶装置）
１２２  ＵＳＩＭ（利用者情報保存用の記録媒体）
【図１】
0004104421.tif 000002
【図２】
0004104421.tif 000003
【図３】
0004104421.tif 000004
【図４】
0004104421.tif 000005
【図５】
0004104421.tif 000006
【図６】
0004104421.tif 000007
【図７】
0004104421.tif 000008
【図８】
0004104421.tif 000009
【図９】
0004104421.tif 000010
【図１０】
0004104421.tif 000011
【図１１】
0004104421.tif 000012
【図１２】
0004104421.tif 000013
【図１３】
0004104421.tif 000014